(57)【要約】【課題】建物の空間部に配設される樹脂管が一定の傾斜をなすようにする作業が容易であり、さらに樹脂管内の水抜きを確実に行なうことのできる樹脂管の固定構造を提供する。【解決手段】建物の空間部３に配設される樹脂管８と、該樹脂管８の外周面に等間隔で結合される複数個のリング１１と、各リング１１同士を結合するワイヤ１２とを備え、該ワイヤ１２の一端と他端は高さが異なる位置に固定することで樹脂管８を上下に傾斜させ、該樹脂管８の低い側に水抜栓９を装着し、該水抜栓９の操作により樹脂管８内の水が排水されるようにした。【選択図】　図１
2004092673.tif 000002
【特許請求の範囲】
【請求項１】
建物の空間部に配設される樹脂管と、該樹脂管の外周面に等間隔で結合される複数個のリングと、各リング同士を結合するワイヤとを備え、該ワイヤの一端と他端は高さが異なる位置に固定することで樹脂管を上下に傾斜させ、該樹脂管の低い側に水抜栓を装着し、該水抜栓の操作により樹脂管内の水が排水されるようにしたことを特徴とする樹脂管の固定構造。
【請求項２】
前記ワイヤの一端にはターンバックルを結合し、該ターンバックルを介してワイヤを固定することで、ワイヤが撓まないように各リング同士を結合したことを特徴とする請求項１記載の樹脂管の固定構造。
【請求項３】
前記ワイヤは熱源器と接続し、ワイヤ自体の発熱により樹脂管内の水を解凍できるようにしたことを特徴とする請求項１又は２記載の樹脂管の固定構造。
【発明の詳細な説明】
【０００１】
【発明の属する技術分野】
この発明は、建物の空間部に配設され、水を水栓金具等に供給する樹脂管の固定構造に関する。
【０００２】
【従来の技術】
一般に集合住宅，戸建住宅等において、洗面台，流し台，浴室，トイレ，洗濯機等の水栓金具へ給水，給湯配管の施工を行なう場合、建物の躯体工事の際に水用又は湯用のヘッダーと水栓金具とを、床板下部の空間部で樹脂管により接続する工法が行なわれている。この場合、北海道等の寒冷地では冬季などにおいて、水栓金具を使用しない場合に、樹脂管内部の水が凍結して水が出なくなる恐れがあるため、予め水抜きを行なう必要がある。
【０００３】
そこで、樹脂管内の水抜きを良好に行なうようにしたものとして公知のものに、図４のものがある。この図４について簡単に説明すると、土間３０に固定されたヘッダー３１と壁板３２に固定された水栓金具３３とを接続している樹脂管３４は、土間３０と床板３５との間の空間部３６で複数のバンド３７によって支持されており、複数のバンド３７を等間隔で固定する高さ位置を、水栓金具３３からヘッダー３１に向けて低くなるようにすることで、樹脂管３４をヘッダー３１側が低く、水栓金具３３側が高くなるように傾斜させ、水抜きの際にはヘッダー３１に装着された水抜栓３８の操作で、樹脂管３４内の水は良好に水抜栓３８から外部へ排水されるようにしたものである。
【０００４】
前記樹脂管の固定構造では、樹脂管は一定の角度で傾斜させた状態で支持され、樹脂管内の水がヘッダーに装着された水抜栓に向かうようにして、凍結の恐れがある場合は水抜きを良好に行なうようにしているが、樹脂管を支持するための複数のバンドを、一定の傾斜角度となるように固定するには、土間からバンドを固定する位置までの寸法をそれぞれ測定する必要があり、作業性が極めて悪いという問題がある。また、樹脂管は柔軟な材料で形成されているので、金属管と比較して施工が容易であるが撓みやすく、この撓みが原因で水抜きを行なっても樹脂管内の水を良好に排水させることができず残ってしまい、この残った水が凍結して水が出なくなる恐れがあった。
【０００５】
【発明が解決しようとする課題】
本発明が解決しようとする課題は、建物の空間部に配設される樹脂管が一定の傾斜をなすようにする作業が容易であり、さらに樹脂管内の水抜きを確実に行なうことのできる樹脂管の固定構造を提供することである。
【０００６】
【課題を解決するための手段】
本発明は請求項１では、建物の空間部に配設される樹脂管と、該樹脂管の外周面に等間隔で結合される複数個のリングと、各リング同士を結合するワイヤとを備え、該ワイヤの一端と他端は高さが異なる位置に固定することで樹脂管を上下に傾斜させ、該樹脂管の低い側に水抜栓を装着し、該水抜栓の操作により樹脂管内の水が排水されるようにしたものである。
【０００７】
請求項２では、前記ワイヤの一端にはターンバックルを結合し、該ターンバックルを介してワイヤを固定することで、ワイヤが撓まないように各リング同士を結合したものである。
【０００８】
請求項３では、前記ワイヤは熱源器と接続し、ワイヤ自体の発熱により樹脂管内の水を解凍できるようにしたものである。
【０００９】
【発明の実施の形態】
以下、本発明の実施の形態を図に基づいて詳細に説明する。
本発明の実施例は図１に示すように、住宅等の建物の土間１と床板２との間には空間部３が形成され、該空間部３でヘッダー４が土間１に固定されている。また、ヘッダー４から距離を設けて前記土間１から垂直方向に立設している壁板５には、床板２より高い位置に流し台用の水栓金具６が固定されている。
【００１０】
前記ヘッダー４は、壁板５に固定された流し台用の水栓金具６だけでなく、建物の洗面台，浴室，その他の給水を必要とする複数個の水栓金具に分岐して水を供給するために、複数個の管継手７がタコ足状に接続されており、水栓金具６と管継手７とは、空間部３内に配設される樹脂管８により接続されるものである。なお、水という語は、水だけでなく湯を含むものとして用いる。樹脂管８は柔軟性を有する材質であり、例えば耐熱性の優れた架橋ポリエチレン管又はポリブテン管等が用いられ、土間１と床板２との間の空間部３に配置されて、ヘッダー４から水栓金具６へ水を供給するものである。
【００１１】
前記ヘッダー４には、寒冷地等で温度の低い冬季に樹脂管８内の水が凍結するのを防止するため、予め樹脂管８内の水を外部へ排水することのできる水抜栓９が装着されており、該水抜栓９は上端にハンドル９ａを備え、該ハンドル９ａの開閉操作により、樹脂管８内部の水を水抜栓９の下部に配置された排水路１０へ排水させることのできるものである。
【００１２】
前記樹脂管８は、ヘッダー４と水栓金具６との間で外周面にリング１１が固定されている。該リング１１は樹脂管８の外周面に等間隔で複数個固定され、図２に示すように周面に穿設された各挿通孔１１ａには所定の長さのワイヤ１２が挿通され、各リング１１同士はワイヤ１２により等間隔で連結されるものである。該ワイヤ１２は各リング１１の挿通孔１１ａに挿通されるものであり、両端には結び目１２ａ，１２ｂが形成されている。
【００１３】
図３に示すように、前記管継手７の下部では土間１に第１ボルト１３が固定され、該第１ボルト１３の上部先端に形成されたリング部１３ａには、前記ワイヤ１２の一方の結び目１２ａが引掛けられるものである。
【００１４】
ターンバックル１４は前記ワイヤ１２を牽引して樹脂管８の撓みを解消し、樹脂管８内の水抜きを良好に行なうために使用されるものであり、両端に支持金具１４ａ，１４ａが回転自在に結合され、ワイヤ１２は結び目１２ｂを支持金具１４ａの先端に形成されたリング部１４ｂに引掛けることで、ターンバックル１４に結合している。
【００１５】
従って、ワイヤ１２は一方の結び目１２ａを土間１に固定された第１ボルト１３に結合させておき、壁板５側でヘッダー４より高い位置からターンバックル１４を牽引すれば、ワイヤ１２と共に樹脂管８を壁板５側が高い位置で、ヘッダー４側が低い位置となるように緩やかな傾斜角度で固定することができるものである。
【００１６】
第２ボルト１５は土間１と床板２との間で、ヘッダー４より高い位置で壁板５に固定されるものであり、前記ターンバックル１４の他端に結合した支持金具１４ａのリング部１４ｂは、第２ボルト１５のリング部１５ａに引掛けることで、ワイヤ１２を固定することができる。従って、ワイヤ１２は壁板５と土間１との間で、撓みが発生しないように牽引されるものである。
【００１７】
そして、前記ワイヤ１２は適宜の位置で発熱線１６を介して熱源器１７と接続しており、該熱源器１７には始動用のスイッチ１７ａが設けられている。従って、冬季に気温が低下して樹脂管８内の水が凍結した場合は、スイッチ１７ａを操作すれば、熱源器１７によりワイヤ１２が発熱し、ワイヤ１２の熱が樹脂管８に伝達して、樹脂管８内の凍結した水の温度を上昇させて解凍することができるものである。
【００１８】
本発明による樹脂管の固定について説明する。図１に示すように、樹脂管８はヘッダー４に接続する前に、予め外周面に等間隔で複数個のリング１１を固定しておく。次に樹脂管８を、管継手７を介してヘッダー４に接続した後に、各リング１１の挿通孔１１ａにはワイヤ１２を挿通し、各リング１１同士をワイヤ１２により連結する。
【００１９】
そして第１ボルト１３は土間１に固定しておき、ワイヤ１２の一端は、結び目１２ａをヘッダー４側で第１ボルト１３のリング部１３ａに引掛ける。ワイヤ１２の他端は、結び目１２ｂをターンバックル１４に結合した支持金具１４ａのリング部１４ｂに挿通し、そしてターンバックル１４のリング部１４ｂを、ヘッダー４より高い位置で壁板５に固定された第２ボルト１５のリング部１５ａに引掛ける。次にターンバックル１４を回転させることで、ワイヤ１２が撓まないように牽引する
【００２０】
すると樹脂管８は、ワイヤ１２の牽引により一端と他端の高さが異なるように上下に傾斜した状態となる。従って水抜栓９のハンドル９ａの操作で水抜きを行なう場合に、樹脂管８内の水は、該樹脂管８の高い側から低い側の水抜栓９に向けて良好に流れてゆき、樹脂管８内の水を水抜栓９から排水路１０へ排水させることができる。
【００２１】
次に万一樹脂管８内の水が凍結して、水栓金具６から水を吐水させることができない場合は、熱源器１７のスイッチ１７ａを操作すれば、発熱線１６を介してワイヤ１２は発熱し、このワイヤ１２の熱は樹脂管８に伝達して該樹脂管８内の凍結した水を解凍し、水を水栓金具６から通常に吐水させることができるようにすることができる。
【００２２】
以上、本発明の実施の形態を図に基づいて説明したが、具体的な実施の形態はこれらに限定されるものではなく、本発明の主旨を逸脱しない範囲で各種の変更が可能である。
【００２３】
例えば、本発明の実施例ではワイヤにターンバックルを結合しているが、ターンバックルに代えてウインチを用いることもできる。また、ターンバックルは壁板に固定したが、床板に固定してもよい。さらに、水抜栓はヘッダーに装着しているが、管継手に装着したり、ヘッダーと管継手の間に装着してもよい。
【００２４】
【発明の効果】
請求項１によると、建物の空間部に配設される樹脂管と、該樹脂管の外周面に等間隔で結合される複数個のリングと、各リング同士を結合するワイヤとを備え、該ワイヤの一端と他端は高さが異なる位置に固定することで樹脂管を上下に傾斜させ、該樹脂管の低い側に水抜栓を装着し、該水抜栓の操作により樹脂管内の水が排水されるようにしたので、樹脂管はワイヤの牽引により上下に傾斜させた状態で固定することができ、作業性が大幅に向上し、工期を短縮させることができる。
【００２５】
請求項２によると、ワイヤの一端にはターンバックルを結合し、該ターンバックルを介してワイヤを固定することで、ワイヤが撓まないように各リング同士を結合したので、樹脂管は撓むことがなく、水抜きを確実に行なうことができる。
【００２６】
請求項３によると、前記ワイヤは熱源器と接続し、ワイヤ自体の発熱により樹脂管内の水を解凍できるようにしたので、樹脂管内の凍結した水をワイヤにより解凍して通常に使用することができる。
【図面の簡単な説明】
【図１】本発明による樹脂管の固定構造の説明図である。
【図２】樹脂管とワイヤの結合状態の説明図である。
【図３】ワイヤと第１ボルトの結合状態の説明図である。
【図４】従来技術の説明図である。
【符号の説明】
３　　　　　　空間部
８　　　　　　樹脂管
９　　　　　　水抜栓
１１　　　　　リング
１２　　　　　ワイヤ
１４　　　　　ターンバックル
１７　　　　　熱源器
【図１】
2004092673.tif 000003
【図２】
2004092673.tif 000004
【図３】
2004092673.tif 000005
【図４】
2004092673.tif 000006